(57)【要約】【課題】着脱自在なシート状フィルターを設置するものであって、吸引された塵埃およびシート状フィルターを廃棄する時の作業性および清潔性を向上させる電気掃除機を提供する。【解決手段】集塵部２はケース体７と塵埃覆い手段１０と固定型フィルター部８とから構成され、塵埃覆い手段１０は一対の略コ字状の第一フレーム１０ａおよび第二フレーム１０ｂと、両者を回動自在に接合する一対のヒンジ１０ｃとを具備し、ヒンジ１０ｃが開いた際に形成される枠体にシート状フィルター９が着脱自在に設置され、第二フレーム１０ｂが固定型フィルター部８に固定され、第一フレーム１０ａに設けられた接続アーム１７がケース体７に形成された案内溝１８に係止する。ケース体７が回動すると、接続アーム１７は案内溝１８に沿って移動し、やがて、ヒンジ１０ｃは閉じてシート状フィルター９は二つ折りされ、袋状になる。【選択図】図２
2010162419.tif 000002
【特許請求の範囲】
【請求項１】
吸引力を発生する電動送風機と、前記電動送風機の吸引力により外気と塵埃を吸引するための風路と、前記風路内に塵埃を捕集する集塵室と、前記集塵室内に着脱自在に配置され塵埃を捕集するシート状フィルターを有する電気掃除機であって、
前記シート状フィルターを変形させて、該変形させたシート状フィルターの縁を閉じる塵埃覆い手段を設けたことを特徴とする電気掃除機。
【請求項２】
前記塵埃覆い手段が、一対の略コ字状のフレームと、前記フレーム同士を回動自在に接合するヒンジと、を具備し、前記ヒンジを開いた際に形成される略矩形状の枠体に、前記シート状フィルターの周囲が保持されることを特徴とする請求項１記載の電気掃除機。
【請求項３】
前記集塵室は、管構造のケース体と、該ケース体に回動自在に係止され、該ケース体の一方の開口部を覆う固定型フィルター部とで構成され、
前記開口部を開く動作と連動して、前記塵埃覆い手段を動作させることを特徴とする請求項１または２記載の電気掃除機。
【請求項４】
前記ケース体を一定以上の角度に回動させることにより、前記塵埃覆い手段と前記ケース体との連動が解除されることを特徴とする請求項３記載の電気掃除機。
【請求項５】
前記塵埃覆い手段は開口方向へ付勢され、
前記塵埃覆い手段と前記ケース体との連動が解除された際に前記塵埃覆い手段が初期の位置に戻ることを特徴とする請求項４記載の電気掃除機。
【請求項６】
前記塵埃覆い手段が閉じた状態にて、前記塵埃覆い手段の回動をロックするロック部を設けたことを特徴とする請求項１乃至５の何れかに記載の電気掃除機。
【請求項７】
前記塵埃覆い手段が、略コ字状の第一フレームおよび第二フレームと、前記第一フレームと前記第二フレームとを回動自在に接合するヒンジと、前記第一フレームに突出して設置された接続アームと、を具備し、前記ヒンジを開いた際に形成される略矩形状の枠体に、前記シート状フィルターが保持され、
前記ヒンジが開いた状態で前記第二フレームが前記固定型フィルター部に設置され、前記固定型フィルター部が回動されて前記風路開口部が覆われた際、前記第一フレームに設置された接続アームが前記ケース体に形成された案内溝に係止し、
前記接続アームが前記案内溝に係止した状態で、前記固定型フィルター部が回動されて前記風路開口部の外に退避した際、前記接続アームが前記案内溝に沿って移動することにより前記ヒンジが閉じられ、前記シート状フィルターの周縁部の一方の略コ字状範囲が前記シート状フィルターの周縁部の他方の略コ字状範囲に重なって前記シート状フィルターは袋状になり、捕集された塵埃が該袋状になったシート状フィルターの中に収納されることを特徴とする請求項１乃至６の何れかに記載の電気掃除機。
【請求項８】
前記ヒンジが閉じられた状態で、前記固定型フィルター部がさらに回動されて前記風路開口部の外にさらに退避した際、前記接続アームが前記案内溝から離脱することを特徴とする請求項７記載の電気掃除機。
【請求項９】
前記接続アームが前記第一フレームに回動自在に設置されることを特徴とする請求項８記載の電気掃除機。
【請求項１０】
前記第二フレームが前記固定型フィルター部に着脱自在に設置されることを特徴とする請求項８または９記載の電気掃除機。
【請求項１１】
吸引力を発生する電動送風機と、前記電動送風機の吸引力により外気と塵埃を吸引するための風路と、前記風路内に塵埃を捕集する集塵室と、前記集塵室内に着脱自在に配置され塵埃を捕集するシート状フィルターと、前記シート状フィルターを折りたたむ、あるいは袋状に形成する塵埃覆い手段を有する電気掃除機であって、
前記集塵室は、観音開き状に開閉する第一ケース部および第二ケース部と、塵埃を捕集するためのシート状フィルターを着脱自在に支持する略コ字状の第一フレームおよび第二フレームを具備し、
前記第一フレームが一対の第一フレーム側部および該第一フレーム側部を連結する第一フレーム中間部を具備し、前記第一フレーム側部の先端部が前記第一ケースに回動自在に支持されると共に、起立する方向に付勢され、
前記第二フレームが一対の第二フレーム側部および該第二フレーム側部を連結する第二フレーム中間部を具備し、前記第二フレーム側部の先端部が前記第二ケースに回動自在に支持されると共に、起立する方向に付勢され、
前記第一ケース部および前記第二ケース部が閉じられた際、前記第一フレームは前記第二ケースの内面に押されて倒伏し、かつ、前記第二フレームは前記第一ケースの内面に押されて倒伏し、該倒伏した前記第一フレーム中間部および前記第二のフレーム中間部に、前記シート状フィルターが支持され、
前記第一ケース部および前記第二ケース部が開かれた際、前記第一フレームおよび前記第二フレームは起立して、前記第一フレーム中間部と前記第二フレーム中間部とが当接して、前記シート状フィルターの周縁部の一方の辺と前記シート状フィルターの周縁部の他方の辺とが重なって前記シート状フィルターは筒状になり、捕集された塵埃が該筒状の中に収納されることを特徴とする請求項１記載の電気掃除機。
【請求項１２】
前記第一フレームの前記第一フレーム側部が前記第一フレーム中間部を回動自在に支持し、かつ、前記第二フレームの前記第二フレーム側部が前記第二フレーム中間部を回動自在に支持し、
前記第一フレームおよび前記第二フレームが倒伏した際、前記第一フレーム中間部の前記シート状フィルターを支持する面と、前記第二フレーム中間部の前記シート状フィルターを支持する面と、が離隔して略同一面内に位置し、
前記第一フレームおよび前記第二フレームが起立した際、前記第一フレーム中間部の前記シート状フィルターを支持する面と、前記第二フレーム中間部の前記シート状フィルターを支持する面と、が当接することを特徴とする請求項１１記載の電気掃除機。
【請求項１３】
前記集塵室は、一報の面に開口した風路開口部を有するケース体と、前記風路開口部を覆い、かつ、前記風路開口部から退避することができるように前記ケース体に回動自在に設置された固定型フィルター部とを有し、
前記第一ケース部および前記第二ケース部が前記ケース体に設置され、
前記シート状フィルターが筒状になった後、前記第一ケース部および前記第二ケース部が閉じられ、かつ、前記固定型フィルター部が回動されて前記風路開口部から退避することによって、前記筒状になったシート状フィルターが回収されることを特徴とする請求項１０または１２記載の電気掃除機。
【請求項１４】
前記第一フレームが前記第一ケースに着脱自在に支持され、かつ、前記第二フレームが前記第二ケースに着脱自在に支持されることを特徴とする請求項１１乃至１３の何れかに記載の電気掃除機。
【発明の詳細な説明】
【技術分野】
【０００１】
本発明は電気掃除機、特に、集塵部にフィルターを着脱自在に設置する電気掃除機に関するものである。
【背景技術】
【０００２】
従来の掃除機において、集塵部に配置されたウレタン等からなるフィルター（以下、「固定型フィルター」と称す）の清掃等を容易にするため、フィルターの吸気上流側に使い捨てのシート状フィルター（たとえば、テッシュ等）を着脱自在に設置して、フィルターの目詰まりを抑制しようとする発明が開示されている（例えば、特許文献１参照）。
【先行技術文献】
【特許文献】
【０００３】
【特許文献１】特開２００５−３１８９１５号公報（第５頁、図２）
【発明の概要】
【発明が解決しようとする課題】
【０００４】
しかしながら、特許文献１に開示された電気掃除機は、シート状フィルターが集塵室の開閉扉として機能し、シート状フィルターにはフラットな取付面が形成されているため、集塵室に吸引された塵埃はシート状フィルターのフラットな面に付着するだけである。
このため、吸引された塵埃を廃棄するために集塵室を開けた際、塵埃の飛散が抑えられず、また、捕捉した塵埃が付着したシート状フィルターを廃棄する際、シート状フィルターからの舞い上がりを抑えることができず、周囲の清潔性が損なわれて使用者に不快感を与えるという問題があった。
【０００５】
そこで本発明は、このような課題を解決するためになされたものであり、着脱自在なシート状フィルターを設置するものであって、使用者は使用済みシート状フィルターに触れることなく、これを廃棄することを可能にし、吸引された塵埃および使用済みシート状フィルターを廃棄する時の清潔性を向上させる電気掃除機を提供するものである。
【課題を解決するための手段】
【０００６】
吸引力を発生する電動送風機と、前記電動送風機の吸引力により外気と塵埃を吸引するための風路と、前記風路内に塵埃を捕集する集塵室と、前記集塵室内に着脱自在に配置され塵埃を捕集するシート状フィルターを有する電気掃除機であって、
前記シート状フィルターを変形させて、該変形させたシート状フィルターの縁を閉じる塵埃覆い手段を設けた。
前記塵埃覆い手段が、一対の略コ字状のフレームと、前記フレーム同士を回動自在に接合するヒンジと、を具備し、前記ヒンジを開いた際に形成される略矩形状の枠体に、前記シート状フィルターの周囲が保持される。
前記集塵室は、一報の面に開口した風路開口部を有するケース体と、前記風路開口部を覆い、かつ、前記風路開口部から退避することができるように前記ケース体に回動自在に設置された固定型フィルター部とを有し、
前記ケース体を開口させる動作と連動して、前記塵埃覆い手段を動作させることを特徴とする。
【発明の効果】
【０００７】
したがって、本発明に係る電気掃除機は、固定型フィルター部を回動して集塵室を開ける動作によって、シート状フィルターが自動的に袋状になるため、捕集された塵埃は袋の中に収納される。このため、使用者は使用済みのシート状フィルターに触れることなくこれを廃棄することができ、また、捕集した塵埃の舞い上がりを抑えることができるから、周囲の清潔性が向上して使用者に不快感を与えることがなくなる。
【図面の簡単な説明】
【０００８】
【図１】本発明の実施形態１に係る電気掃除機を模式的に示す平面視の断面図。
【図２】図１に示す電気掃除機における集塵部の平面視の断面図。
【図３】図１に示す電気掃除機における塵埃覆い手段の断面図。
【図４】図１に示す電気掃除機における集塵の廃棄要領を示す側面視の断面図。
【図５】図１に示す電気掃除機における集塵の廃棄要領を示す側面視の断面図。
【図６】図１に示す電気掃除機における集塵の廃棄要領を示す側面視の断面図。
【図７】図１に示す電気掃除機におけるヒンジ開閉機構を説明する平面視の断面図。
【図８】図１に示す電気掃除機におけるヒンジ開閉機構を説明する平面視の断面図。
【図９】図１に示す電気掃除機におけるヒンジ開閉機構を説明する平面視の断面図。
【図１０】本発明の実施形態２に係る電気掃除機を模式的に示す平面視の断面図。
【図１１】図１０に示す電気掃除機における塵埃覆い手段の平面図と側面図。
【図１２】図１０に示す電気掃除機における塵埃を廃棄する要領を説明する断面図。
【図１３】図１０に示す電気掃除機における塵埃を廃棄する要領を説明する断面図。
【図１４】図１０に示す電気掃除機における塵埃を廃棄する要領を説明する断面図。
【図１５】図１０に示す電気掃除機における塵埃を廃棄する要領を説明する断面図。
【図１６】図１０に示す電気掃除機における塵埃を廃棄する要領を説明する断面図。
【発明を実施するための形態】
【０００９】
[実施の形態１]
図１〜図３は本発明の実施形態１に係る電気掃除機を模式的に示すものであって、図１は平面視の断面図、図２は集塵部の平面視の断面図、図３の（ａ）は塵埃覆い手段の平面図、図３の（ｂ）は塵埃覆い手段の断面図である。
【００１０】
（掃除機本体）
図１において、電気掃除機１００は、掃除機本体１と、掃除機本体１内に配置された、塵埃を集塵する集塵部２と、集塵部２を通過する風路を形成する電動送風機３とから構成されている。
掃除機本体１の上流側には本体ダストカバー４が設置され、本体ダストカバー４は集塵部２を覆っている。そして、本体ダストカバー４の一部に、ホース５が着脱自在に接続される吸気流入口６が形成されているから、吸気流入口６から集塵部２を経由して電動送風機３に至る風路が形成されることになる。
【００１１】
（集塵部）
図２において、集塵部２は、ケース体７と、固定型フィルター部８とから構成されている。なお、本発明において本体上流部とは集塵部２および本体ダストカバー４から形成される部位を指しているが、本体ダストカバー４の設置が省略された場合には、集塵部２が本体上流部に相当することになる。
【００１２】
（ケース体）
ケース体７は二重管構造であって、固定型フィルター部８に回動自在に係止されケース外筒部７ａと、ケース外筒部７ａに連なるケース天井部７ｂと、ケース天井部７ｂに形成されたケース開口部７ｃと、ケース開口部７ｃを包囲してケース天井部７ｂに設置されたケース内筒部（以下「リブ」と称す場合がある）７ｅと、固定型フィルター部８を回動自在に設置するための回動支持部７ｄと、を具備している。そして、ケース開口部７ｃは本体ダストカバー４の吸気流入口６に連通している。
なお、ケース外筒部７ａの内面には案内溝が形成されているが、図示していない。これについては別途詳細に説明する。
【００１３】
（固定型フィルター部）
固定型フィルター部８は、フィルター外筒部８ａと、フィルター外筒部８ａの天井に形成された略矩形状のフィルター開口部８ｃと、フィルター開口部８ｃの周囲に形成された塵埃覆い手段設置部８ｂと、ケース体７の回動支持部７ｄに係止して回動する回動係止部８ｄと、を具備している。
そして、着脱自在に設置されるシート状フィルター９を保持する塵埃覆い手段１０が塵埃覆い手段設置部８ｂに設置されている。
また、フィルター開口部８ｃを取り囲む一次フィルター側面部１１ａと、一次フィルター側面部１１ａに接続された一次フィルター底面部１１ｂとを具備する一次フィルター１１（たとえば、ＳＵＳメッシュからなる）が、フィルター外筒部８ａの中に設置され、一次フィルター１１の一次フィルター底面部１１ｂに対峙して二次フィルター１２（たとえば、ＨＥＰＡフィルターからなる）が設置されている。
【００１４】
（シート状フィルター）
シート状フィルター９は、塵埃覆い手段１０に着脱自在に保持され、ケース端縁７ｆの下端において押さえられている（塵埃覆い手段１０については、別途詳細に説明する）。このとき、ケース端縁７ｆの下端の形状が塵埃覆い手段１０の開口部の周囲に略等しいため、塵埃覆い手段１０のほとんどの範囲はケース端縁７ｆの外側（ケース端縁７ｆとフィルター外筒部８ａとの間）に位置するため、塵埃覆い手段１０上にあるシート状フィルター９の周縁部に塵埃が堆積することが防止されている。
【００１５】
なお、シート状フィルター９は、一次フィルター１１の内面に当接して設けられており、「懐」を形成している。したがって、吸引された塵埃は、当該懐内に貯留することになる。このとき、シート状フィルター９の空気通過面積（集塵面積に同じ）は、当初の略平面状から、一次フィルター１１の一次フィルター側面部１１ａの面積に略等しい面積分だけ大きくなり、圧力損失の低減に加え捕集することができる塵埃量も増している。
【００１６】
（塵埃覆い手段）
図３の（ａ）は塵埃覆い手段を吸気上流側から見た図であり、図３（ｂ）は図３（a）の線Ａ−Ａの断面図である。図３において、塵埃覆い手段１０が、一対の略コ字状の第一フレーム１０ａおよび第二フレーム１０ｂと、第一フレーム１０ａの両先端と第二フレーム１０ｂの両先端とを回動自在に接合する一対のヒンジ１０ｃ、１０ｃと、第一フレーム１０ａの中央部（図３の（ａ）において紙面の上下方向の部位）の外側に回動自在に設置された接続アーム１７、１７と、を具備している。
したがって、ヒンジ１０ｃ、１０ｃを開いた際、第一フレーム１０ａおよび第二フレーム１０ｂによって矩形状の開口部１０ｄを具備する「中抜きの枠体」が形成される。また、ヒンジ１０ｃ、１０ｃを閉じた際、第一フレーム１０ａと第二フレーム１０ｂとは相互に重なって略コ字状の二枚板が形成される。
また、第二フレーム１０ｂには、バネ等により開口方向へ付勢しても良い（図示しない）。
【００１７】
（滑り止め材）
また、塵埃覆い手段１０のシート状フィルター９と接触する面（上流側の面に同じ）には、それぞれ摩擦係数が大きな滑り止め材１４ａ、１４ｂが設けられている。これにより、シート状フィルター９が塵埃覆い手段１０からずれて、外れることが防止されている。
なお、かかるずれ防止手段はこれに限定するものではなく、たとえば、シート状フィルターを塵埃覆い手段１０上に挟み止める機構（塵埃覆い手段上に、三角山型、波型、凹凸型の形状などを設け、それらの嵌合により、シート状フィルターの縁を閉じ合わせる構成）であったり、シート状フィルターを塵埃覆い手段１０上に接着する構成（たとえば、両面テープ、接着剤、粘着剤、水分、熱、圧力などにより、縁を閉じ合わせる構成）であったりしてもよい。
【００１８】
さらに、塵埃覆い手段１０の第一フレーム１０ａには、上流側の面（図３の（ｂ）において紙面の上側の面）に突出する複数のフレームピン１５が設けられ、第二フレーム１０ｂには複数のフレーム孔１６が設けられ、ヒンジ１０ｃ、１０ｃを閉じた際、フレームピン１５はフレーム孔１６に侵入するようになっている。たとえば、フレーム孔１６の内径が４ｍｍのとき、フレームピン１５は、外径３ｍｍの円柱型で先端に平面をもち、フレーム孔１６に４ｍｍ以上に入り込むよう（高さ４ｍｍ以上に同じ）に構成されている。したがって、後記するように、シート状フィルター９の二枚に重なった周縁部は容易に剥離しないことになる（これについては別途詳細に説明する）。
【００１９】
（集塵の廃棄要領）
図４〜図６は本発明の実施形態１に係る電気掃除機における集塵の廃棄要領を模式的に示す側面視の断面図であって、図４はの塵埃の貯留形態、図５は集塵の廃棄形態、図６の（ａ）は一部の拡大図、図６の（ｂ）はシート状フィルターの一部の拡大図である。なお、図２と同じ部分または相当する部分にはこれと同じ符号を付し、一部の説明を省略する。
【００２０】
図４において、シート状フィルター９は、前記のように、一次フィルター１１（図示しない）の内面に張り付いて「懐」を形成しているから、吸引された塵埃は、当該懐内に貯留している。
図５において、塵埃覆い手段１０のヒンジ１０ｃ、１０ｃが回転されて閉じられると、第一フレーム１０ａと第二フレーム１０ｂとは重なり、シート状フィルター９の周縁部は３辺が重なって「閉じられた袋」状になるから、貯留された塵埃は完全に覆われたことになる。なお、ヒンジ１０ｃ、１０ｃが回転される機構については別途詳細に説明する。
【００２１】
図６の（a）において、フレーム孔１６にフレームピン１５が侵入した時、シート状フィルター９の二枚に重なった周縁部の当該範囲は、フレームピン１５に押されて、フレーム孔１６に押し込まれ、嵌合状態になる。このとき、「窪み跡」が形成され、該窪み跡に生じる摩擦力によって、シート状フィルター９の当該範囲における嵌合状態が堅固に保持され、容易に離脱しないことになる（図６の（ｂ）参照）。
【００２２】
したがって、塵埃覆い手段１０のヒンジ１０ｃ、１０ｃが回転されて閉じられると、シート状フィルター９の前記窪み跡はその形状のまま堅固に保持された状態で、フレーム孔１６およびフレームピン１５から離脱し、シート状フィルター９は袋状のまま、塵埃覆い手段１０（第一フレーム１０ａ、１０ｂ）から取り外される。すなわち、シート状フィルター９の周辺部は堅固に重なったままであるから、略密閉された「袋」状が維持される。
よって、吸引された塵埃を、当該袋に閉じこめた状態で電気掃除機１００から回収することができるから、かかる袋状のシート状フィルター９を廃棄するだけで、塵埃の舞い上がりを防ぎながら、塵埃と使用済みシート状フィルター９との両方を廃棄することが可能になり、廃棄時の清潔性を向上させることができる。
【００２３】
なお、以上は一次フィルター１１と二次フィルター１２との両方が設置されたものを示しているが、一次フィルター１１は通気性を具備するものであって、シート状フィルター９を所定の形状に保持できるものである限り、塵埃をろ過する機能を具備しないもの（いわゆるフィルター機能を具備しないもの、たとえば、パンチプレート等）であってもよく、さらに、二次フィルター１２が撤去されたものであってもよい。
【００２４】
（ヒンジ開閉機構）
図７〜図９は本発明の実施形態１に係る電気掃除機におけるヒンジ開閉機構を模式的に説明する平面視の断面図である。なお、図２と同じ部分または相当する部分にはこれと同じ符号を付し、一部の説明を省略する。また、理解を容易にするため、一部材の記載を省略し、各部材の寸法は誇張してある。
図７の（ａ）において、ケース外筒部７ａの回動支持部７ｄが設置された面に垂直な面の内側に、案内溝１８、１８が形成されている。案内溝１８は、平面視において、固定型フィルター部８に当接する端縁７ｆに沿った平行溝部１８ａと、平行溝部１８ａの回動支持部７ｄから遠い位置で端縁７ｆに向かって形成された呼び込み部１８ｂと、平行溝部１８ａの回動支持部７ｄから遠い位置で端縁７ｆから離れる方向に形成された垂直溝部１８ｃと、平行溝部１８ａの回動支持部７ｄに近い位置で端縁７ｆに向かって形成された引き出し部１８ｄと、を有している。
【００２５】
そして、平行溝部１８ａおよび垂直溝部１８ｃは、塵埃覆い手段１０に設置された接続アーム１７の一部が係止（侵入）するものであって、所定の深さを具備している。呼び込み部１８ｂは、接続アーム１７の平行溝部１８ａへの侵入を容易にする斜面であって、引き出し部１８ｄは、塵埃覆い手段１０が大きな力で引き離された際、接続アーム１７が平行溝部１８ａから離脱する径路になる斜面である。
【００２６】
図７の（ｂ）において、ヒンジ１０ｃが開いた状態で第一フレーム１０ａが固定型フィルター部８に設置され、第一フレーム１０ａおよび第二フレーム１０ｂによって形成された枠体にシート状フィルター９が支持されている。
そして、固定型フィルター部８の回動係止部８ｄはケース体７の回動支持部７ｄに係止しているから、これを支点にして回動し、固定型フィルター部８はケース体７の開口部（図示しない端縁７ｆによって包囲されている）を覆っている。
このとき、第一フレーム１０ａに設置された接続アーム１７は、ケース体７に形成された案内溝１８に侵入している。
【００２７】
図８の（ａ）において、固定型フィルター部８またはケース体７は回動して、両者は略Ｖ字状（鋭角）に配置されている。このとき、接続アーム１７の一部は案内溝１８に侵入しているから、平行溝部１８ａに沿って回動支持部７ｄの方向に移動する。よって、かかる移動に伴って、ヒンジ１０ｃは除々に閉じられることになる。
【００２８】
図８の（ｂ）において、固定型フィルター部８またはケース体７は回動して、両者は略垂直に配置されている。このとき、接続アーム１７の一部は案内溝１８に侵入しているから、接続アーム１７は平行溝部１８ａの回動支持部７ｄ側の終端に到達し、第一フレーム１０ａに略平行する面内（または同一面内）に位置している。
したがって、ヒンジ１０ｃは閉じられ、第一フレーム１０ａと第二フレーム１０ｂとは全面で当接しているから、シート状フィルター９の周縁部の一方の略コ字状範囲がシート状フィルター９の周縁部の他方の略コ字状範囲に重なって「開口部のない袋」状になり、捕集された塵埃が該袋状の中に収納されている。
【００２９】
図９の（ａ）において、固定型フィルター部８またはケース体７はさらに回動して、両者は略へ字状（鈍角）に配置されている。このとき、接続アーム１７の一部は案内溝１８から離脱している。
すなわち、前記さらなる回動によって接続アーム１７の一部には大きな力が作用するため、該力によって接続アーム１７の一部は引き出し部１８ｄを経由して、案内溝１８から離脱している。
【００３０】
図９の（ｂ）において、ヒンジ１０ｃは開かれているから、第一フレーム１０ａと第二フレーム１０ｂは回動して枠体を形成している。このとき、袋状となったシート状フィルター９は、塵埃覆い手段１０から離脱することになる。したがって、固定型フィルター部８またはケース体７を回動するだけで、着脱自在に支持されたシート状フィルター９を袋状にすることができ、該袋状の中に捕集した塵埃を封入することが可能になる。
また、第一フレーム１０ａを、バネ等（図示無し）によって開口方向に付勢することにより、接続アーム１７が案内溝１８から離脱すると同時に、第一フレーム１０ａは元の位置に戻るので、ヒンジ１０ｃに触れることなく、容易に捕集した塵埃と使用済みシート状フィルター９とを廃棄することができる。
また、塵埃覆い手段１０が閉じた状態にて、塵埃覆い手段１０の回動をロックするロック部（図示無し）を設けることにより、使用者が任意のタイミングで捕集した塵埃と使用済みシート状フィルター９を廃棄することができる。
よって、周囲に塵埃を飛散させることなく、吸引された塵埃および使用済みシート状フィルターを廃棄することができ、作業性および清潔性が向上する。
【００３１】
さらに、ヒンジ１０ｃを回動する力（シート状フィルター９を袋状にする力に同じ）は、「てこの原理」によって増大されているから、使用者は小さな力でもって固定型フィルター部８またはケース体７を相対的に回動するだけで、シート状フィルター９の二枚に重なった周縁部の一部を嵌合状態にすることができる（フレームピン１５をフレーム孔１６に押し込むには相当の力を要する）。
【００３２】
なお、以上は、塵埃覆い手段１０の第二フレーム１０ｂが固定型フィルター部８に設置されたものを例示しているが、本発明はこれに限定するものではなく、第二フレーム１０ｂを固定型フィルター部８に着脱自在に取り付け可能にしてもよい。
このとき、シート状フィルター９を袋状にした（図９の（ａ）参照）後、ヒンジ１０ｃが閉じた状態で、第二フレーム１０ｂを固定型フィルター部８から取り外し、重なっている第一フレーム１０ａおよび第二フレーム１０ｂ（袋状のシート状フィルター９を把持している）を持って、塵埃を廃棄する場所にまで搬送することができる。そして、廃棄する場所において、ヒンジ１０ｃを開ければ、使用者は、使用済みシート状フィルター９に触れることなく、捕集した塵埃と使用済みシート状フィルター９とを廃棄することができる。
【００３３】
なお、以上は、接続アーム１７が第一フレーム１０ａに回動自在に設置されているが、本発明はこれに限定するものではなく、第一フレーム１０ａの中間部に垂直方向に突出して固定されてもよい。このとき、案内溝１８は、平行溝部１８ａが回動支持部７ｄから離れる方向に延長され、垂直溝部１８ｃの設置が省略されることになる。
【００３４】
[実施の形態２]
図１０〜図１６は本発明の実施形態２に係る電気掃除機を模式的に示すものであって、図１は平面視の断面図、図２の（ａ）および（ｂ）はそれぞれ塵埃覆い手段の平面図および側面図、図１２〜図１６は塵埃を廃棄する要領を模式的に説明する平面視の断面図である。なお、実施の形態１と同じ部分または相当する部分にはこれと同じ符号を付し、一部の説明を省略する。
【００３５】
（掃除機本体）
図１０において、電気掃除機２００は、掃除機本体１と、掃除機本体１内に配置された、塵埃を集塵する集塵部２０２と、集塵部２０２を通過する風路を形成する電動送風機３とから構成されている。
掃除機本体１の上流側には本体ダストカバー４が設置され、本体ダストカバー４は集塵部２０２を覆っている。そして、本体ダストカバー４の一部に、ホース５が着脱自在に接続される吸気流入口６が形成されているから、吸気流入口６から集塵部２０２を経由して電動送風機３に至る風路が形成されることになる。
【００３６】
（集塵部）
図１２において、集塵部２０２は、ケース体２０７と、固定型フィルター部８とから構成されている。なお、本発明において本体上流部とは集塵部２０２および本体ダストカバー４から形成される部位を指しているが、本体ダストカバー４の設置が省略された場合には、集塵部２０２が本体上流部に相当することになる。
【００３７】
（ケース体）
ケース体２０７は、半割筒状の第一ケース体７１および第二ケース体７２から構成された筒状であって、第一ケース体７１および第二ケース体７２は、それぞれ観音開き状に開閉自在に固定型フィルター部８に設置されている。
すなわち、第一ケース体７１は、端部に第一ケース係止部７１ｄが設置された第一ケース外筒部７１ａと、第一ケース外筒部７１ａに連なる第一ケース天井部７１ｂと、第一ケース天井部７１ｂに形成された第一ケース開口部７１ｃと、第一ケース開口部７１ｃにそって、第一ケース天井部７１ｂの内面に設置された第一ケースリブ７１ｅと、を具備している。
【００３８】
同様に、第二ケース体７２は、端部に第二ケース係止部７２ｄが設置された第二ケース外筒部７２ａと、第二ケース外筒部７２ａに連なる第二ケース天井部７２ｂと、第二ケース天井部７２ｂに形成された第二ケース開口部７２ｃと、第二ケース開口部７２ｃにそって、第二ケース天井部７２ｂの内面に設置された第二ケースリブ７２ｅと、を具備している。
そして、第一ケース係止部７１ｄは、固定型フィルター部８に設けられた第一回動支持機構８１に回動自在に係止している。同様に、第二ケース係止部７２ｄは、固定型フィルター部８に設けられた第二回動支持機構８２に回動自在に係止している。
また、第一ケース体７１および第二ケース体７２が当接して筒状になった際、第一ケース開口部７１ｃと第二ケース開口部７２ｃとは合体して、本体ダストカバー４の吸気流入口６に連通する開口部を形成する。
【００３９】
（固定型フィルター部）
固定型フィルター部８は、フィルター外筒部８ａと、フィルター外筒部８ａの天井に形成された略矩形状のフィルター開口部８ｃと、フィルター開口部８ｃの周囲に形成された塵埃覆い手段設置部８ｂと、を具備している。また、説明の便宜上、フィルター外筒部８ａの端縁によって包囲された開口部（フィルター開口部８ｃに対峙して、これに連通する）をフィルター下流側開口部８ｅと称す。
そして、フィルター開口部８ｃを取り囲む一次フィルター側面部１１ａと、一次フィルター側面部１１ａの端部に当接して、これと共に一面が開口した函体を形成する一次フィルター底面部１１ｂとを具備する一次フィルター１１（たとえば、ＳＵＳメッシュからなる）がフィルター外筒部８ａの中に設置されている。
【００４０】
また、一次フィルター底面部１１ｂに対峙して、フィルター下流側開口部８ｅを覆う二次フィルター１２（たとえば、ＨＥＰＡフィルターからなる）が設置されている。
さらに、フィルター外筒部８ａには、第一ケース体７１の第一ケース係止部７１ｄを回転自在に支持する第一回動支持機構８１と、第二ケース体７２の第二ケース係止部７２ｄを回転自在に支持する第二回動支持機構８２と、二次フィルター１２の二次フィルター係止部１２ａを回転自在に支持する第三回動支持機構８３と、が設けられている。
【００４１】
（塵埃覆い手段）
図１１において、塵埃覆い手段２０９は、第一ケース体７１に回動自在に設置される略コ字状の第一フレーム２１０と、第二ケース体７２に回動自在に設置される第二フレーム２２０と、を具備している。
第一フレーム２１０は、一対の第一フレーム側部２１２、２１２と、第一フレーム側部２１２、２１２と第一フレーム中間部２１４の両端部とを回動自在に連結する一対の第一中間部連結機構２１３、２１３と、第一フレーム側部２１２を第一ケース体７１に回動自在に係止するための第一フレーム支持機構２１１と、を有している。
同様に、第二フレーム２２０は、一対の第二フレーム側部２２２、２２２と、第二フレーム側部２２２、２２２と第二フレーム中間部２２４の両端部とを回動自在に連結する一対の第二中間部連結機構２２３、２２３と、第二フレーム側部２２２を第二ケース体７２に回動自在に係止するための第二フレーム支持機構２２１と、を有している。
【００４２】
そして、第一フレーム中間部２１４にはフレーム孔２１６が形成され、第二フレーム中間部２２４にはフレームピン２２５が形成され、第一フレーム中間部２１４と第二フレーム中間部２２４とが当接した際、フレーム孔２１６にフレームピン２２５が侵入するものである（図６参照）。なお、フレーム孔２１６およびフレームピン２２５の大きさや形状、数量や配置の形態等は限定するものではない。
また、第一フレーム中間部２１４および第二フレーム中間部２２４のシート状フィルター９と接触する面（上流側の面に同じ）には、それぞれ摩擦係数が大きな滑り止め材（図示しない）が設けられ、シート状フィルター９が塵埃覆い手段２０９からずれて、外れることが防止されている。
【００４３】
また、第一中間部連結機構２１３は、第一フレーム側部２１２の傾動角度（第一フレーム支持機構２１１の回動量に同じ）を増巾した回動角度でもって、第一フレーム中間部２１４を回動するものである。すなわち、第一フレーム側部２１２が倒伏しているとき、第一フレーム中間部２１４に形成されたフレーム孔２１６は、塵埃覆い手段設置部８ｂの法線方向である（図１２において、紙面の上下方向に同じ）。一方、第一フレーム側部２１２が起立したときは、第一フレーム中間部２１４に形成されたフレーム孔２１６は、塵埃覆い手段設置部８ｂの法線方向に垂直になる（図１４において、紙面の左右方向に同じ）。
【００４４】
同様に、第二中間部連結機構２２３は、第二フレーム側部２２２の傾動角度（第二フレーム支持機構２２１の回動量に同じ）を増巾した回動角度でもって、第二フレーム中間部２２４を回動するものである。すなわち、第二フレーム側部２２２が倒伏しているとき、第二フレーム中間部２２４に形成されたフレームピン２２５は、塵埃覆い手段設置部８ｂの法線方向である（図１２において、紙面の上下方向に同じ）。一方、第二フレーム側部２２２が起立したときは、第二フレーム中間部２２４に形成されたフレームピン２２５は、塵埃覆い手段設置部８ｂの法線方向に垂直になる（図１４において、紙面の左右方向に同じ）。
【００４５】
（シート状フィルター）
シート状フィルター９は、塵埃覆い手段２０９に着脱自在に保持され、第一ケースリブ７１ｅ、７２ｅの下端において押さえられている（図１２参照）。このとき、第一ケースリブ７１ｅ、７２ｅの下端が、それぞれ第一フレーム中間部２１４の内縁、第二フレーム中間部２２４の内縁に沿って配置されるから、第一フレーム中間部２１４および第二フレーム中間部２２４のほとんどの範囲は、第一ケースリブ７１ｅおよび第二ケースリブ７２ｅの外側に位置するため、これに支持されているシート状フィルター９の周縁の当該範囲に塵埃が堆積することが防止されている。
【００４６】
なお、シート状フィルター９は、当初塵埃覆い手段１０に略平面状に設置されるものであるが、電動送風機３の形成する風路内に置かれるため、下流側に張り出し、やがて、一次フィルター１１の内面に張り付いて「懐」を形成している。したがって、吸引された塵埃は、当該懐内に貯留することになる。このとき、シート状フィルター９の空気通過面積（集塵面積に同じ）は、当初の略平面状から、一次フィルター１１の一次フィルター側面部１１ａの面積に略等しい面積分だけ大きくなり、捕集することができる塵埃量も増している。
【００４７】
（集塵の廃棄要領）
次に、図１２〜図１６に基づいて、電気掃除機２００における、捕集した塵埃および使用済みシート状フィルター９の廃棄要領を説明する。なお、理解を容易にするため、各図の（ａ）では、第一フレーム側部２１２および第二フレーム側部２２２の図示を省略し、各図の（ｂ）では、第一フレーム中間部２１４および第二フレーム中間部２２４の図示を省略している。
図１２において、第一フレーム２１０は第二ケース体７２に押し付けられ、第二フレーム２２０は第一ケース体７１に押し付けられ、それぞれ倒伏している。このとき、塵埃覆い手段２０９に支持されたシート状フィルター９は、風路内に配置されるため、前記のように変形して「懐」を形成し、該懐の中に捕集した塵埃が貯留されている。
【００４８】
図１３において、第一ケース体７１および第二ケース体７２は回動している。このため、第一フレーム２１０および第二フレームはそれぞれ前記押し付けから開放され、起立を開始している。
なお、第一フレーム２１０および第二フレームには図示しない付勢手段が設置され、該付勢手段によって前記起立が実行されるものであるが、本発明はこれに限定するものではなく、第一ケース体７１および第二ケース体７２に前記起立を実行させるリンク手段を設けてもよい。
【００４９】
図１４において、第一ケース体７１および第二ケース体７２は回動して完全に開ききっている。このとき、第一フレーム２１０および第二フレームは、さらに起立し、第一フレーム中間部２１４と第二フレーム中間部２２４とが当接している。すなわち、シート状フィルター９の周縁部の一方の辺とシート状フィルター９の周縁部の他方の辺とが重なって「筒」状になり、捕集された塵埃が該筒状の中に収納されている。
なお、第一フレーム中間部２１４と第二フレーム中間部２２４とによって挟圧される範囲はシート状フィルター９の周縁部の一辺に限定され、該一辺には前記窪み跡（フレーム孔１６にフレームピン１５が侵入して形成される、図６参照）が形成されるものの、該一辺を除く２辺には前記窪み跡が形成されない。
しかしながら、全周囲が完全に当接した袋ではないものの、前記のように懐が形成された状態のシート状フィルター９を二つ折りにしたものであるため、前記「筒」状は「袋」状に均等である。
【００５０】
図１５において、第一ケース体７１および第二ケース体７２は完全に閉じられている。このため、第一フレーム２１０は第二ケース体７２に押し付けられ、第二フレーム２２０は第一ケース体７１に押し付けられ、それぞれ倒伏している。
そして、筒状（袋状に均等）になったシート状フィルター９は捕集した塵埃を収納したままの状態で、塵埃覆い手段２０９（正確には、第一フレーム中間部２１４および第二フレーム中間部２２４）から離脱している。
【００５１】
図１６において、一次フィルター底面部１１ｂと二次フィルター１２とが、第三回動支持機構８３を回転中心にして一体的に回動している。このため、固定型フィルター部８のフィルター下流側開口部８ｅ（二次フィルター１２によって覆われていた）は開口して、集塵部２０２は底なしになっている。すなわち、一次フィルター側面部１１ａによって囲まれた空間は、両端が開口した筒状を呈しているから、捕集した塵埃を収納したまま筒状（袋状に均等）になっているシート状フィルター９は集塵部２０２の外に落下している。
よって、使用者は、捕集された塵埃および使用済みシート状フィルター９を廃棄する場所において、前記要領を実行すれば、使用済みシート状フィルター９に触れることなく、捕集された塵埃を使用済みシート状フィルター９で包囲し、塵埃の舞い上がりを防ぎながら、塵埃と使用済みシート状フィルター９との両方を廃棄をすることが可能になる。したがって、作業性および廃棄時の清潔性を向上させることができる。
【産業上の利用可能性】
【００５２】
以上より、本発明の電気掃除機は、使い捨て可能なシート状フィルターを用いて、貯留した塵埃と使用済みシート状フィルターとの両方を、塵埃を舞い上がらせることなく、簡単な操作によって廃棄することができるから、家庭用および事業用の各種電気掃除機として広く利用することができる。
【符号の説明】
【００５３】
１：掃除機本体、２：集塵部、３：電動送風機、４：本体ダストカバー、５：ホース、６：吸気流入口、７：ケース体、７ａ：ケース外筒部、７ｂ：ケース天井部、７ｃ：ケース開口部、７ｄ：回動支持部、７ｅ：ケースリブ、７ｆ：ケース端縁、８：固定型フィルター部、８ａ：フィルター外筒部、８ｂ：塵埃覆い手段設置部、８ｃ：フィルター開口部、８ｄ：回動係止部、８ｅ：フィルター下流側開口部、９：シート状フィルター、１０：塵埃覆い手段、１０ａ：第一フレーム、１０ｂ：第二フレーム、１０ｃ：ヒンジ、１０ｄ：開口部、１１：一次フィルター、１１ａ：一次フィルター側面部、１１ｂ：一次フィルター底面部、１２：二次フィルター、１２ａ：二次フィルター係止部、１４ａ：滑り止め材、１４ｂ：滑り止め材、１５：フレームピン、１６：フレーム孔、１７：接続アーム、１８：案内溝、１８ａ：平行溝部、１８ｂ：呼び込み部、１８ｃ：垂直溝部、１８ｄ：引き出し部、７１：第一ケース体、７１ａ：第一ケース外筒部、７１ｂ：第一ケース天井部、７１ｃ：第一ケース開口部、７１ｄ：第一ケース係止部、７１ｅ：第一ケースリブ、７２：第二ケース体、７２ａ：第二ケース外筒部、７２ｂ：第二ケース天井部、７２ｃ：第二ケース開口部、７２ｄ：第二ケース係止部、８１：第一回動支持機構、８２：第二回動支持機構、８３：第三回動支持機構、１００：電気掃除機（実施の形態１）、２００：電気掃除機（実施の形態２）、２０７：ケース体、２０９：塵埃覆い手段、２１０：第一フレーム、２１１：第一フレーム支持機構、２１２：第一フレーム側部、２１３：第一中間部連結機構、２１４：第一フレーム中間部、２１６：フレーム孔、２２０：第二フレーム、２２１：第二フレーム支持機構、２２２：第二フレーム側部、２２３：第二中間部連結機構、２２４：第二フレーム中間部、２２５：フレームピン。 
【図１】
2010162419.tif 000003
【図２】
2010162419.tif 000004
【図３】
2010162419.tif 000005
【図４】
2010162419.tif 000006
【図５】
2010162419.tif 000007
【図６】
2010162419.tif 000008
【図７】
2010162419.tif 000009
【図８】
2010162419.tif 000010
【図９】
2010162419.tif 000011
【図１０】
2010162419.tif 000012
【図１１】
2010162419.tif 000013
【図１２】
2010162419.tif 000014
【図１３】
2010162419.tif 000015
【図１４】
2010162419.tif 000016
【図１５】
2010162419.tif 000017
【図１６】
2010162419.tif 000018